(57)【要約】      （修正有）【課題】動作時、デジタル回路と電源回路の間に生じる信号干渉を効果的に回避でき、放熱にも役立つコネクタ変換器を提供する。【解決手段】コネクタ変換器は、ハウジングと、デジタル信号板２０と、電源板３０と、接続線４０を含み、デジタル信号板と電源板にはそれぞれデジタル回路と電源回路が集積され、デジタル信号板と電源板はいずれもハウジングの内部に設けられ且つ電気的に接続され、接続線の内端部はデジタル信号板に電気的に接続され、接続線の外端部はハウジングの外側に延び出して且つ入力インターフェース５０が設けられ、デジタル信号板に複数の出力インターフェース６０が設けられ、ハウジングには外逃げ孔１１１が開設される。【選択図】図２
0003229958.tif 000002
【実用新案登録請求の範囲】
【請求項１】
コネクタ変換器であって、ハウジングと、デジタル信号板と、電源板と、接続線を備え、前記デジタル信号板にはデジタル回路が集積され、前記電源板には電源回路が集積され、前記デジタル信号板と前記電源板はいずれも前記ハウジングの内部に設けられ且つ電気的に接続され、前記接続線の内端部は前記デジタル信号板に電気的に接続され、前記接続線の外端部は前記ハウジングの外側に延び出して且つ入力インターフェースが設けられ、前記デジタル信号板に複数の出力インターフェースが設けられ、前記ハウジングには位置が各前記出力インターフェースに対応することによって各前記出力インターフェースを露出させる外逃げ孔が開設されることを特徴とするコネクタ変換器。
【請求項２】
前記デジタル信号板と前記電源板は並列に設置されることを特徴とする請求項１に記載のコネクタ変換器。
【請求項３】
前記デジタル信号板と前記電源板は間隔を開けて設置されることを特徴とする請求項１に記載のコネクタ変換器。
【請求項４】
各前記出力インターフェースは、前記デジタル信号板と前記電源板の間に間隔を開けるように、前記デジタル信号板と前記電源板の間に位置することを特徴とする請求項３に記載のコネクタ変換器。
【請求項５】
前記デジタル信号板は少なくとも１組のピンヘッダを介して前記電源板に電気的に接続されることを特徴とする請求項１に記載のコネクタ変換器。
【請求項６】
各前記ピンヘッダはいずれも複数の並列に設置された接続ピンを含み、各前記接続ピンは前記デジタル信号板と前記電源板の間に垂直に溶接されることを特徴とする請求項５に記載のコネクタ変換器。
【請求項７】
前記接続線の内端部には金属板が設けられ、前記金属板は前記デジタル信号板に嵌着され、接続端子を介して前記デジタル信号板に電気的に接続されることを特徴とする請求項１に記載のコネクタ変換器。
【請求項８】
前記接続端子と前記金属板との接続箇所には前記デジタル信号板に封止されるＵＶ接着剤が設けられることを特徴とする請求項７に記載のコネクタ変換器。
【請求項９】
前記金属板は、前記接続線の内端部に固定的に接続される中間板部と、第１側板部と、第２側板部を含み、それぞれ前記中間板部の両端に接続される第１側板部と前記第２側板部は、前記中間板部に対して同じ側にあり、いずれも前記接続端子を介して前記デジタル信号板に電気的に接続され、前記第１側板部の下端には第１嵌着部が設けられ、前記第２側板部の下端には第２嵌着部が設けられ、前記デジタル信号板のその端部に近接する位置には第１嵌着溝と第２嵌着溝が設けられ、前記第１嵌着部と前記第２嵌着部はそれぞれ前記第１嵌着溝と前記第２嵌着溝に嵌着されることによって前記金属板は前記デジタル信号板に固定的に接続されることを特徴とする請求項７に記載のコネクタ変換器。
【請求項１０】
前記デジタル信号板には前記第１側板部と前記第２側板の間の下方に位置する取付け切り欠きが開設され、前記中間板部は前記取付け切り欠きの内部に係着されることを特徴とする請求項９に記載のコネクタ変換器。
【請求項１１】
前記接続線の内端部は係止リングを介して前記中間板部に固定的に接続されることを特徴とする請求項９に記載のコネクタ変換器。
【請求項１２】
各前記出力インターフェースはＵＳＢインターフェースと、ＨＤＭＩインターフェースと、ＤＶＩインターフェースと、ＲＪ４５インターフェースと、Ｌｉｇｈｔｎｉｎｇインターフェースのうちの任意の組み合わせであることを特徴とする請求項１〜１１のいずれか一項に記載のコネクタ変換器。
【請求項１３】
前記入力インターフェースはＴｙｐｅ−Ｃインターフェース又はＭｉｃｒｏ  ＵＳＢインターフェースであることを特徴とする請求項１〜１１のいずれか一項に記載のコネクタ変換器。
【請求項１４】
前記デジタル信号板及び／又は前記電源板には複数の電子デバイスが設けられることを特徴とする請求項１〜１１のいずれか一項に記載のコネクタ変換器。
【請求項１５】
前記ハウジングは外枠と２つの封止プラグを含み、前記外枠には長手方向の両端を貫通する取付けキャビティが開設され、２つの前記封止プラグは前記取付けキャビティの両端で密封され、各前記外逃げ孔は前記外枠及び／又は前記封止プラグに開設されることを特徴とする請求項１〜１１のいずれか一項に記載のコネクタ変換器。
【請求項１６】
前記ハウジングは、前記取付けキャビティの内部に固定されて内逃げ孔が開設されるプラスチック部材を更に含み、前記内逃げ孔の位置は前記外枠に開設される前記外逃げ孔に対応し、前記内逃げ孔に対応する前記出力インターフェースの端部は前記内逃げ孔に固定されることを特徴とする請求項１５に記載のコネクタ変換器。
【請求項１７】
前記外枠は表面に酸化層が形成されたアルミニウム合金製枠であることを特徴とする請求項１５に記載のコネクタ変換器。
【考案の詳細な説明】
【技術分野】
【０００１】
本考案は、変換器の技術分野に属し、特にコネクタ変換器に関する。
【背景技術】
【０００２】
コネクタ変換器は、信号インターフェースや充電インターフェースを変換するために、コネクタを相互に変換することが可能な装置であり、従来のコネクタ変換器は一般的にハウジングと、ハウジングの内部に設置されたプリント回路基板と、プリント回路基板に取り付けられた変換用ジャックと、プリント回路基板に溶接されて電気信号又は他の信号を受信するための導線を備える。しかし、従来のコネクタ変換器が動作する時、信号が相互に干渉するという問題が生じ、更にコネクタ変換器の使用効果に影響を与える。
【考案の概要】
【考案が解決しようとする課題】
【０００３】
本考案の実施例の目的は、コネクタ変換器を提供し、従来技術におけるコネクタ変換器を利用する過程における信号が相互に干渉するという課題を解決することである。
【課題を解決するための手段】
【０００４】
上記課題を解決するために、本考案の実施例において以下の技術的解決手段を提供する。コネクタ変換器を提供し、コネクタ変換器を提供し、前記コネクタ変換器は、ハウジングと、デジタル信号板と、電源板と、接続線を備え、前記デジタル信号板にはデジタル回路が集積され、前記電源板には電源回路が集積され、前記デジタル信号板と前記電源板はいずれも前記ハウジングの内部に設けられ且つ電気的に接続され、前記接続線の内端部は前記デジタル信号板に電気的に接続され、前記接続線の外端部は前記ハウジングの外側に延び出して且つ入力インターフェースが設けられ、前記デジタル信号板に複数の出力インターフェースが設けられ、前記ハウジングには位置が各前記出力インターフェースに対応することによって各前記出力インターフェースを露出させる外逃げ孔が開設される。
【０００５】
好ましくは、前記デジタル信号板と前記電源板は並列に設置される。
【０００６】
好ましくは、前記デジタル信号板と前記電源板は間隔を開けて設置される。
【０００７】
好ましくは、各前記出力インターフェースは、前記デジタル信号板と前記電源板の間に間隔を開けるように、前記デジタル信号板と前記電源板の間に位置する。
【０００８】
好ましくは、前記デジタル信号板は少なくとも１組のピンヘッダを介して前記電源板に電気的に接続される。
【０００９】
好ましくは、各前記ピンヘッダはいずれも複数の並列に設置された接続ピンを含み、各前記接続ピンは前記デジタル信号板と前記電源板の間に垂直に溶接される。
【００１０】
好ましくは、前記接続線の内端部には金属板が設けられ、前記金属板は前記デジタル信号板に嵌着され、接続端子を介して前記デジタル信号板に電気的に接続される。
【００１１】
好ましくは、前記接続端子と前記金属板との接続箇所には前記デジタル信号板に封止されるＵＶ接着剤が設けられる。
【００１２】
好ましくは、前記金属板は、前記接続線の内端部に固定的に接続される中間板部と、第１側板部と、第２側板部を含み、それぞれ前記中間板部の両端に接続される第１側板部と前記第２側板部は、前記中間板部に対して同じ側にあり、いずれも前記接続端子を介して前記デジタル信号板に電気的に接続され、前記第１側板部の下端には第１嵌着部が設けられ、前記第２側板部の下端には第２嵌着部が設けられ、前記デジタル信号板のその端部に近接する位置には第１嵌着溝と第２嵌着溝が設けられ、前記第１嵌着部と前記第２嵌着部はそれぞれ前記第１嵌着溝と前記第２嵌着溝に嵌着されることによって前記金属板は前記デジタル信号板に固定的に接続される。
【００１３】
好ましくは、前記デジタル信号板には前記第１側板部と前記第２側板の間の下方に位置する取付け切り欠きが開設され、前記中間板部は前記取付け切り欠きの内部に係着される。
【００１４】
好ましくは、前記接続線の内端部は係止リングを介して前記中間板部に固定的に接続される。
【００１５】
好ましくは、各前記出力インターフェースはＵＳＢインターフェースと、ＨＤＭＩ（登録商標）インターフェースと、ＤＶＩインターフェースと、ＲＪ４５インターフェースと、Ｌｉｇｈｔｎｉｎｇインターフェースのうちの任意の組み合わせである。
【００１６】
好ましくは、前記入力インターフェースはＴｙｐｅ−Ｃインターフェース又はＭｉｃｒｏ  ＵＳＢインターフェースである。
【００１７】
好ましくは、前記デジタル信号板及び／又は前記電源板には複数の電子デバイスが設けられる。
【００１８】
好ましくは、前記ハウジングは外枠と２つの封止プラグを含み、前記外枠には長手方向の両端を貫通する取付けキャビティが開設され、２つの前記封止プラグは前記取付けキャビティの両端で密封され、各前記外逃げ孔は前記外枠及び／又は前記封止プラグに開設される。
【００１９】
好ましくは、前記ハウジングは、前記取付けキャビティの内部に固定されて内逃げ孔が開設されるプラスチック部材を更に含み、前記内逃げ孔の位置は前記外枠に開設される前記外逃げ孔に対応し、前記内逃げ孔に対応する前記出力インターフェースの端部は前記内逃げ孔に固定される。
【００２０】
好ましくは、前記外枠は表面に酸化層が形成されたアルミニウム合金製枠である。
【考案の効果】
【００２１】
従来技術に比べて、本考案の実施例により提供されるコネクタ変換器の好適な効果は以下のとおりである。本考案のコネクタ変換器では、接続線の外端部に設置される入力インターフェースを信号変換を必要とするインターフェース又は充電電源のインターフェースに接続させてから、電子製品に接続されるデータケーブルを、ハウジングの外に露出される外逃げ孔に挿着して、コネクタの間の変換を実現することができる。ここで、本考案のコネクタ変換器にはそれぞれデジタル回路が集積されるデジタル信号板と、電源回路が集積される電源板が設置されることで、コネクタ変換器が動作する時、デジタル回路と電源回路の間に生じる信号干渉を効果的に回避することができ、更にコネクタ変換器の使用効果を向上させることができ、またコネクタ変換器の放熱にも更に役立つ。
【図面の簡単な説明】
【００２２】
本考案の実施例における技術的解決手段を更に明確に説明するために、以下、実施例又は従来技術の記載に使用される図面を簡単に説明する。明らかに、以下に記載する図面は本考案の一部の実施例に過ぎず、当業者であれば、創造的な労働を要することなく、更にこれらの図面に基づいてその他の図面を得ることができる。
【図１】本考案の実施例により提供されるコネクタ変換器の構成の模式図である。
【図２】本考案の実施例により提供されるコネクタ変換器の構成の分解模式図図である。
【図３】本考案の実施例により提供されるコネクタ変換器のハウジングを隠した構成の模式図の一です。
【図４】本考案の実施例により提供されるコネクタ変換器のハウジングを隠した構成の模式図の二です。
【図５】本考案の実施例により提供されるコネクタ変換器の接続線が金属板を介してデジタル信号板に接続される構成の模式図である。
【図６】本考案の実施例により提供されるコネクタ変換器の金属板の構成の模式図である。
【図７】本考案の実施例により提供されるコネクタ変換器のデジタル信号板の構成の模式図である。
【考案を実施するための形態】
【００２３】
以下、本考案の実施例を詳細に説明する。前記実施例の例は図面に示されるが、同一又は類似する符号は、常に、同一又は類似の部品、又は、同一又は類似の機能を有する部品を表す。以下、図１〜７を参照しながら説明する実施例は例示的なものであり、本考案を説明するためのものに過ぎず、本考案を限定するものではない。
【００２４】
本考案の説明において、「長さ」、「幅」、「上」、「下」、「前」、「後」、「左」、「右」、「垂直」、「水平」、「頂」、「底」「内」、「外」などの用語により指示される方位又は位置関係は図面に示される方位又は位置関係に基づくものであり、本考案を説明しやすく、説明を簡略化するためのものに過ぎず、これらにより示される装置又は部品は、特定の方位を有することや、特定の方位で構成し操作しなければならないことを指示し又は暗示するものではないため、本考案を限定するものではないことに留意されたい。
【００２５】
更に、「第１」、「第２」という用語は説明するためのものに過ぎず、相対的な重要性を指示し又は暗示するものや、これらにより示される技術的特徴の数を示唆するものではない。これにより、「第１」、「第２」と限定されている特徴は一つ以上の前記特徴を含むことを明示し又は示唆することができる。本考案の説明において、特に明確且つ具体的な限定がない限り、「複数」とは、二つ以上を意味する。
【００２６】
本考案において、特に明確な規定と限定がない限り、「取り付ける」、「相互に接続する」、「接続する」、「固定する」などの用語の意味は広義に理解されるべきであり、例えば、固定的な接続や、着脱可能な接続や、或いは一体的な接続でも可能である。機械的な接続や、電気的な接続も可能である。直接接続することや、中間媒体を介して間接的に接続することや、二つの部品の内部が連通することや、あるいは二つの部品の間に相互の作用関係があることも可能である。当業者であれば、具体的な場合に応じて上記用語の本考案における具体的な意味を理解することができる。
【００２７】
図１〜７に示すように、本考案の実施例は、コネクタ変換器を提供し、前記コネクタ変換器は、ハウジング１０と、デジタル信号板２０と、電源板３０と、接続線４０を含み、前記デジタル信号板２０にはデジタル回路が集積され、前記電源板３０には電源回路が集積され、前記デジタル信号板２０と前記電源板３０はいずれも前記ハウジング１０の内部に設けられ且つ電気的に接続され、前記接続線４０の内端部は前記デジタル信号板２０に電気的に接続され、前記接続線４０の外端部は前記ハウジング１０の外側に延び出して且つ入力インターフェース５０が設けられ、前記デジタル信号板２０に複数の出力インターフェース６０が設けられ、前記ハウジング１０には位置が各前記出力インターフェース６０に対応することによって各前記出力インターフェース６０を露出させる外逃げ孔１１１が開設される。図２〜４に示すように、具体的には、本考案の実施例のコネクタ変換器では、接続線４０の外端部に設置される入力インターフェース５０を信号変換を必要とするインターフェース又は充電電源のインターフェースに接続させてから、電子製品に接続されるデータケーブルを、ハウジング１０の外に露出される外逃げ孔１１１に挿着して、コネクタの間の変換を実現することができる。ここで、本考案の実施例のコネクタ変換器にはそれぞれデジタル回路が集積されるデジタル信号板２０と、電源回路が集積される電源板３０が設置されることで、コネクタ変換器が動作する時、デジタル回路と電源回路の間に生じる信号干渉を効果的に回避することができ、更にコネクタ変換器の使用効果を向上させることができ、またコネクタ変換器の放熱にも更に役立つ。
【００２８】
本実施例では、図３〜４に示すように、前記デジタル信号板２０と前記電源板３０は並列に設置される。具体的には、デジタル信号板２０と電源板３０を並列に設置することで、デジタル信号板２０と電源板３０を取り付ける時、空間内において最適な位置に容易に配置ことができ、デジタル信号板２０と電源板３０の占用空間を節約する。
【００２９】
好ましくは、図３〜４に示すように、前記デジタル信号板２０と前記電源板３０は高さ方向において上下に並列に設置されることで、限られた空間において、全体のコネクタ変換器が長手方向において占める位置を減少させ、更に全体のコネクタ変換器の体積を減少させることができ、コネクタ変換器を容易に小型化に設計することができる。
【００３０】
本実施例では、図３〜４に示すように、前記デジタル信号板２０と前記電源板３０は間隔を開けて設置される。具体的には、デジタル信号板２０と電源板３０に間隔を開けて設置することで、デジタル信号板２０と電源板３０の間に距離が空いており、デジタル信号板２０と電源板３０で発生する熱量はこの距離において放出することができ、デジタル信号板２０と電源板３０で発生する熱量を効果的に放出させることで、コネクタ変換器内部の熱量が過大となって動作に影響を与えることや各部品の劣化を加速させて耐用年数が短縮することを回避する。
【００３１】
本実施例では、図３〜４に示すように、各前記出力インターフェース６０は、前記デジタル信号板２０と前記電源板３０の間に間隔を開けるように、前記デジタル信号板２０と前記電源板３０の間に位置する。具体的には、各出力インターフェース６０はデジタル信号板２０と電源板３０に間隔を開け、ハウジング１０の限られている内部空間において、デジタル信号板２０と電源板３０との間の距離を最大化することによって、デジタル信号板２０と電源板３０が動作する時に発生する熱量を最も効率的に放出することができ、高温がコネクタ変換器に与える影響を更に回避し、コネクタ変換器の安定的且つ信頼できる動作を確保する。
【００３２】
本実施例では、図２と図４に示すように、前記デジタル信号板２０は少なくとも１組のピンヘッダ７０を介して前記電源板３０に電気的に接続される。具体的には、ピンヘッダ７０は、デジタル信号板２０と電源板３０を電気的に接続させ、デジタル信号板２０と電源板３０の通常の動作を確保する役割を果たし、一方で、デジタル信号板２０と電源板３０を支持する。すなわち、デジタル信号板２０と電源板３０のハウジング１０の内部における設置の安定性を向上させ、外力によるデジタル信号板２０と電源板３０の脱落を回避する役割を果たす。
【００３３】
更に、実際のニーズに応じて１組のピンヘッダ７０や２組のピンヘッダ７０又は３組のピンヘッダ７０を設置してもよい。
【００３４】
更に具体的には、図３〜４に示すように、各ピンヘッダ７０の設置位置は出力インターフェース６０に対応する他方側の位置であってもよく、このようにピンヘッダ７０と出力インターフェース６０との間の干渉を回避し、部品同士のスムーズな組立を確保し、相互の動作に影響を与えず、それぞれの通常の機能を実現することができる。
【００３５】
本実施例では、図２と図４に示すように、各前記ピンヘッダ７０はいずれも複数の並列に設置された接続ピン７１を含み、各前記接続ピン７１は前記デジタル信号板２０と前記電源板３０の間に垂直に溶接される。具体的には、各ピンヘッダ７０は好ましくは複数の接続ピン７１により構成され、例えば、各組のピンヘッダ７０の数は５つの接続ピン７１により構成されてもよい。ここで、それぞれの接続ピン７１の両端は各デジタル信号板２０と電源板３０に挿着され、接続ピン７１とデジタル信号板２０との間及び接続ピンと電源板３０との間の挿着部において半田付けで補強することができ、接続ピン７１とデジタル信号板２０及び電源板３０との機械的な接続を確保し、また接続ピン７１とデジタル信号板２０及び電源板３０との電気的な接続を確保し、構造設計上の実用性が高い。
【００３６】
本実施例では、図２〜３と図５〜６に示すように、前記接続線４０の内端部には金属板９０が設けられ、前記金属板９０は前記デジタル信号板２０に嵌着され、接続端子１００を介して前記デジタル信号板２０に電気的に接続される。具体的には、金属板９０の設置は接続線４０とデジタル信号板２０との間の接続の安定性を向上させることができ、嵌着という接続方式によって金属板９０とデジタル信号板２０を接続させることは接続線４０がデジタル信号板２０から脱落する問題を効果的に回避することができる。すなわち、金属板９０が回路基板アセンブリのデジタル信号板２０に嵌着接続され、更に金属板９０を接続端子１００を介してデジタル信号板２０に電気的に接続させることで、接続線４０とデジタル信号板２０との電気的な接続及び機械的な接続が実現される。機械的な接続は半田付けによるものではなく、嵌着によって実現されるものであり、接続線４０とデジタル信号板２０との間の機械的な接続の安定性を大幅に向上させ、コネクタ変換器を利用する過程で接続線４０の脱落を回避し、コネクタ変換器の使用効果を向上させることができる。
【００３７】
本実施例では、図５に示すように、前記接続端子１００と前記金属板９０との接続部には前記デジタル信号板２０に封止されるＵＶ接着剤１１０が設けられる。具体的には、ＵＶ接着剤１１０の役割は、接続端子１００と金属板９０との間の接続を強化し、更に接続端子１００と金属板９０をデジタル信号板２０に固定することであり、ＵＶ接着剤１１０によって金属板９０と、接続端子１００と、デジタル信号板２０の三者を固定し、金属板９０と、接続端子１００と、デジタル信号板２０の三者間の接続の安定性を大幅に向上させる。また、該ＵＶ接着剤１１０は絶縁材料であり、デジタル信号板２０における他の部品の動作に対する干渉を効果的に回避することができ、る。すなわち、ＵＶ接着剤１１０は、補強金属板９０と、接続端子１００と、デジタル信号板２０の三者間の接続を安定させ、他の如何なる不具合が生じることがない。
【００３８】
本実施例では、図５〜７に示すように、前記金属板９０は、前記接続線４０の内端部に固定的に接続される中間板部９３と、第１側板部９１と、第２側板部９２を含み、それぞれ前記中間板部の両端に接続される第１側板部９１と前記第２側板部９２は前記中間板部９３に対して同じ側にあり、いずれも前記接続端子１００を介して前記デジタル信号板２０に電気的に接続され、前記第１側板部９１の下端には第１嵌着部９４が設けられ、前記第２側板部９２の下端には第２嵌着部９５が設けられ、前記デジタル信号板２０のその端部に近接する位置には第１嵌着溝２１と第２嵌着溝２２が設けられ、前記第１嵌着部９４と前記第２嵌着部９５はそれぞれ前記第１嵌着溝２１と前記第２嵌着溝２２に嵌着されることによって前記金属板９０は前記デジタル信号板２０に固定的に接続される。具体的には、中間板部９３は第１側板部９１と第２側板部９２の間に接続されて接続線４０に固定的に接続され、第１側板部９１に設置される第１嵌着部９４と第２側板部９２に設置される第２嵌着部９５はそれぞれデジタル信号板２０における第１嵌着溝２１と第２嵌着溝２２に嵌着して接続されることで、第１嵌着部９４と第２嵌着部９５を介して接続線４０とデジタル信号板２０との二箇所の機械的な接続が実現され、接続線４０とデジタル信号板２０との間の接続の安定性を大幅に向上させ、一定の外力で該接続線４０を引っ張っても、接続線４０がデジタル信号板２０から簡単に脱落することもない。
【００３９】
ここで、第１嵌着部９４と第２嵌着部９５はそれぞれ第１嵌着溝２１と第２嵌着溝２２に嵌着して接続される場合、第１側板部９１の下端と第２側板部９２の下端はいずれもデジタル信号板２０の表面に当接する。このように第１側板部９１及び第２側板部９２とデジタル信号板２０との間に隙間が生じて揺れるなどにより緩むことを防止することができる一方、組立ての際、観察によって第１側板部９１と第２側板部９２が所定位置に取り付けられているか否かを迅速に把握することができ、取付けの不具合による後続での使用の際に起こる多くの問題を減少させる。
【００４０】
本実施例では、中間板部９３の幅は第１側板部９１と第２側板部９２の幅より大きく、第１側板部９１と第２側板部９２は幅が同じである。
【００４１】
好ましくは、中間板部９３と、第１側板部９１と、第２側板部９２と、第１嵌着部９４と、第２嵌着部９５が一体成形されて金属板９０が製造される。一体成形で製造された金属板９０の構造的強度は高く、大量生産に適し、製造コストが低く、また、製造された金属板９０の製品の一貫性が高い。
【００４２】
更に具体的には、図６に示すように、金属板９０の外形構造は略Ｕ字状を呈する。このように構成された金属板９０は安定性が高く、使用がより信頼できる。
【００４３】
本実施例では、図４〜５と図７に示すように、前記デジタル信号板２０には前記第１側板部９１と前記第２側板の間の下方に位置する取付け切り欠き２３が開設され、前記中間板部９３は前記取付け切り欠き２３に係着される。具体的には、第１嵌着溝２１と第２嵌着溝２２はそれぞれ取付け切り欠き２３が対向するエッジ部に近接する箇所に位置する。このように金属板９０がデジタル信号板２０に接続された後、第１側板部９１と第２側板部９２はそれぞれ取付け切り欠き２３が対向するエッジ部に近接する箇所に位置し、中間板部９３は取付け切り欠き２３に正対するため、中間板部９３に接続される接続線４０は中央部に設置され、第１側板部９１と第２側板部９２のデジタル信号板２０の幅方向における二点を介して接続線４０を間接的に固定することによって、接続線４０はデジタル信号板２０に安定的且つ確実に接続される。
【００４４】
本実施例では、図２〜４に示すように、前記接続線４０の内端部は係止リング８０を介して前記中間板部９３に固定的に接続される。具体的には、係止リング８０はプラスチック材料で製造されてもよく、前記係止リング８０を介して金属板９０の中間板部９３と接続線４０を強固に接続することができ、前記係止リング８０によって、接続線４０の端部を保護し、長期間の使用にわたって接続線４０の端部位置が折れることを回避し、コネクタ変換器の耐用年数を延長させることができる。
【００４５】
本実施例では、各前記出力インターフェース６０はＵＳＢインターフェースと、ＨＤＭＩインターフェースと、ＤＶＩインターフェースと、ＲＪ４５インターフェースと、Ｌｉｇｈｔｎｉｎｇインターフェースのうちの任意の組み合わせである。具体的には、実際のニーズに応じてＵＳＢインターフェースと、ＨＤＭＩインターフェースと、ＤＶＩインターフェースと、ＲＪ４５インターフェースと、Ｌｉｇｈｔｎｉｎｇインターフェースを選択してデジタル信号板２０に取り付けることができる。ここで、各タイプのインターフェースの数を１つだけ増やしてもよく、例えば、３つのＵＳＢインターフェースを選択する。当然ながら、インターフェース群としてＵＳＢインターフェースと、ＨＤＭＩインターフェースと、ＲＪ４５インターフェースを選択してデジタル信号板２０に取り付けてもよい。
【００４６】
本実施例では、前記入力インターフェース５０はＴｙｐｅ−Ｃインターフェース又はＭｉｃｒｏ  ＵＳＢインターフェースである。具体的には、入力インターフェース５０は必要に応じてＴｙｐｅ−Ｃインターフェース又はＭｉｃｒｏ  ＵＳＢインターフェースに設定してもよい。
【００４７】
上記のような出力インターフェース６０と入力インターフェース５０を用いることによって、コネクタ変換器の製品の種類を多様化し、異なる人々のニーズを満たし、市場適応能力がより高い。
【００４８】
本実施例では、図３〜４に示すように、前記デジタル信号板２０及び／又は前記電源板３０には複数の電子デバイス１２０が設けられる。具体的には、電子デバイス１２０の設置は、デジタル信号板２０と電源板３０の動作を補助し、コネクタ変換器に付加される機能の実現を確保する。
【００４９】
本実施例では、図２に示すように、前記ハウジング１０は外枠１１と２つの封止プラグ１２を含み、前記外枠１１には長手方向の両端を貫通する取付けキャビティが開設され、２つの前記封止プラグ１２は前記取付けキャビティの両端で密封され、各前記外逃げ孔１１１は前記外枠１１及び／又は前記封止プラグ１２に開設される。具体的には、外枠１１はコネクタ変換器全体の本体であり、各部品を固着する役割を果たし、デジタル信号板２０、電源板３０と各出力インターフェース６０を固着するために外枠１１に取付けキャビティを開設する。該取付けキャビティはその両端が貫通構造である。従って、デジタル信号板２０と電源板３０を取り付ける時にその両端の開口から挿入してもよく、２つの封止プラグ１２を取付けキャビティの両端の開口に封止し、デジタル信号板２０と電源板３０が外枠１１の外に脱出することを回避する。使用しやすくするために、各出力インターフェース６０を露出させるように、取り付けられた出力インターフェース６０は外逃げ孔１１１に対応する。
【００５０】
本実施例では、図２に示すように、前記ハウジング１０は、プラスチック部材１３を更に含み、前記プラスチック部材１３は前記取付けキャビティ（図示せず）の内部に固定され、前記プラスチック部材１３には位置が前記外枠１１に開設される前記外逃げ孔１１１に対応する内逃げ孔１３１が開設され、前記内逃げ孔１３１に対応する前記出力インターフェース６０の端部は前記内逃げ孔１３１に固定される。具体的には、プラスチック部材１３の役割は各出力インターフェース６０を固めることであり、それに設置される内逃げ孔１３１は外逃げ孔１１１に嵌合することで、各出力インターフェース６０を露出させることができる。各出力インターフェース６０を使用する時、その端部が大きな力を受けているため、各出力インターフェース６０を内逃げ孔１３１に固定し、プラスチック部材１３によって各出力インターフェース６０の強度を強化することができ、それが力を受けた後脱落することや、或いは他の問題が生じることを回避し、構造設計の実用性が高い。
【００５１】
本実施例では、前記外枠１１は表面に酸化層が形成されたアルミニウム合金製枠である。具体的には、アルミニウム合金製枠は外枠１１として構造強度がより大きく、高い場所から転落しても大きな外力を受けても変形しにくく、更に外枠１１の内部に設置された各部品を効果的に保護する。該アルミニウム合金製枠の表面には酸化層が形成されたため、該アルミニウム合金製枠によるデジタル信号板２０と電源板３０の動作への干渉を防止することができる。
【００５２】
以上の記載は本考案の好ましい実施例に過ぎず、本考案を限定するためのものではなく、本考案の精神と原則を逸脱することなく、なされた如何なる修正、等価物による置換と改良などは、全て本考案の護範囲内に含まれるべきである。
【符号の説明】
【００５３】
１０−ハウジング
１１−外枠
１２−封止プラグ
１３−プラスチック部材
２０−デジタル信号板
２１−第１嵌着溝
２２−第２嵌着溝
２３−取付け切り欠き
３０−電源板
４０−接続線
５０−入力インターフェース
６０−出力インターフェース
７０−ピンヘッダ
７１−接続ピン
８０−係止リング
９０−金属板
９１−第１側板部
９２−第２側板部
９３−中間板部
９４−第１嵌着部
９５−第２嵌着部
１００−接続端子
１１０−ＵＶ接着剤
１１１−外逃げ孔
１２０−電子デバイス
１３１−内逃げ孔
【図１】
0003229958.tif 000003
【図２】
0003229958.tif 000004
【図３】
0003229958.tif 000005
【図４】
0003229958.tif 000006
【図５】
0003229958.tif 000007
【図６】
0003229958.tif 000008
【図７】
0003229958.tif 000009
【手続補正書】
【提出日】令和2年10月13日(2020.10.13)
【手続補正１】
【補正対象書類名】実用新案登録請求の範囲
【補正対象項目名】全文
【補正方法】変更
【補正の内容】
【実用新案登録請求の範囲】
【請求項１】
コネクタ変換器であって、ハウジングと、デジタル信号板と、電源板と、接続線を備え、前記デジタル信号板にはデジタル回路が集積され、前記電源板には電源回路が集積され、前記デジタル信号板と前記電源板はいずれも前記ハウジングの内部に設けられ且つ電気的に接続され、前記接続線の内端部は前記デジタル信号板に電気的に接続され、前記接続線の外端部は前記ハウジングの外側に延び出して且つ入力インターフェースが設けられ、前記デジタル信号板に複数の出力インターフェースが設けられ、前記ハウジングには位置が各前記出力インターフェースに対応することによって各前記出力インターフェースを露出させる外逃げ孔が開設されることを特徴とするコネクタ変換器。
【請求項２】
前記デジタル信号板と前記電源板は並列に設置されることを特徴とする請求項１に記載のコネクタ変換器。
【請求項３】
前記デジタル信号板と前記電源板は間隔を開けて設置されることを特徴とする請求項１に記載のコネクタ変換器。
【請求項４】
各前記出力インターフェースは、前記デジタル信号板と前記電源板の間に間隔を開けるように、前記デジタル信号板と前記電源板の間に位置することを特徴とする請求項３に記載のコネクタ変換器。
【請求項５】
前記デジタル信号板は少なくとも１組のピンヘッダを介して前記電源板に電気的に接続されることを特徴とする請求項１に記載のコネクタ変換器。
【請求項６】
各前記ピンヘッダはいずれも複数の並列に設置された接続ピンを含み、各前記接続ピンは前記デジタル信号板と前記電源板の間に垂直に溶接されることを特徴とする請求項５に記載のコネクタ変換器。
【請求項７】
前記接続線の内端部には金属板が設けられ、前記金属板は前記デジタル信号板に嵌着され、接続端子を介して前記デジタル信号板に電気的に接続されることを特徴とする請求項１に記載のコネクタ変換器。
【請求項８】
前記接続端子と前記金属板との接続箇所には前記デジタル信号板に封止されるＵＶ接着剤が設けられることを特徴とする請求項７に記載のコネクタ変換器。
【請求項９】
前記金属板は、前記接続線の内端部に固定的に接続される中間板部と、第１側板部と、第２側板部を含み、それぞれ前記中間板部の両端に接続される第１側板部と前記第２側板部は、前記中間板部に対して同じ側にあり、いずれも前記接続端子を介して前記デジタル信号板に電気的に接続され、前記第１側板部の下端には第１嵌着部が設けられ、前記第２側板部の下端には第２嵌着部が設けられ、前記デジタル信号板のその端部に近接する位置には第１嵌着溝と第２嵌着溝が設けられ、前記第１嵌着部と前記第２嵌着部はそれぞれ前記第１嵌着溝と前記第２嵌着溝に嵌着されることによって前記金属板は前記デジタル信号板に固定的に接続されることを特徴とする請求項７に記載のコネクタ変換器。
【請求項１０】
前記デジタル信号板には前記第１側板部と前記第２側板の間の下方に位置する取付け切り欠きが開設され、前記中間板部は前記取付け切り欠きの内部に係着されることを特徴とする請求項９に記載のコネクタ変換器。
【請求項１１】
前記接続線の内端部は係止リングを介して前記中間板部に固定的に接続されることを特徴とする請求項９に記載のコネクタ変換器。
【請求項１２】
各前記出力インターフェースはＵＳＢインターフェースと、ＨＤＭＩ（登録商標）インターフェースと、ＤＶＩインターフェースと、ＲＪ４５インターフェースと、Ｌｉｇｈｔｎｉｎｇ（登録商標）インターフェースのうちの任意の組み合わせであることを特徴とする請求項１〜１１のいずれか一項に記載のコネクタ変換器。
【請求項１３】
前記入力インターフェースはＴｙｐｅ−Ｃインターフェース又はＭｉｃｒｏ  ＵＳＢインターフェースであることを特徴とする請求項１〜１１のいずれか一項に記載のコネクタ変換器。
【請求項１４】
前記デジタル信号板及び／又は前記電源板には複数の電子デバイスが設けられることを特徴とする請求項１〜１１のいずれか一項に記載のコネクタ変換器。
【請求項１５】
前記ハウジングは外枠と２つの封止プラグを含み、前記外枠には長手方向の両端を貫通する取付けキャビティが開設され、２つの前記封止プラグは前記取付けキャビティの両端で密封され、各前記外逃げ孔は前記外枠及び／又は前記封止プラグに開設されることを特徴とする請求項１〜１１のいずれか一項に記載のコネクタ変換器。
【請求項１６】
前記ハウジングは、前記取付けキャビティの内部に固定されて内逃げ孔が開設されるプラスチック部材を更に含み、前記内逃げ孔の位置は前記外枠に開設される前記外逃げ孔に対応し、前記内逃げ孔に対応する前記出力インターフェースの端部は前記内逃げ孔に固定されることを特徴とする請求項１５に記載のコネクタ変換器。
【請求項１７】
前記外枠は表面に酸化層が形成されたアルミニウム合金製枠であることを特徴とする請求項１５に記載のコネクタ変換器。